(57)【要約】  デジタル放送サービスのための方法及び装置は、デジタル放送受信機の直接的で且つリアルタイムで制御を可能にすることができる。サービス提供サーバは、コンテンツ制御アクセス基準記述子（ｄｅｓｃｒｉｐｔｏｒ）を伝送ストリームに挿入し、コンテンツ及びコンテンツ制御アクセス基準記述子を伝送ストリームを通じて受信機に伝送する。受信機は、伝送ストリームを受信し、コンテンツをコンテンツ制御アクセス基準記述子によって処理し、コンテンツ制御アクセス基準記述子は、ロック制御情報及びクーポン提供情報を含む。ロック制御情報は、受信機の制御機能が特定コンテンツに対して制限されるか否かを指示する。クーポン提供情報は、特定コンテンツの実行に依存し、有料コンテンツの購買のためのクーポンが提供されるか否かを指示する。
2012514374.tif 000002
【特許請求の範囲】
【請求項１】
サービス提供者サーバのデジタル放送サービス方法において、
伝送ストリームにコンテンツ制御アクセス基準記述子を挿入する段階であって、コンテンツ制御アクセス基準記述子は、コンテンツの実行に依存して受信機の少なくとも１つの動作を制御するためのコンテンツ制御情報を識別するために使用される段階と、
前記伝送ストリームを通じて前記コンテンツ及び前記コンテンツ制御アクセス基準記述子を前記受信機に伝送する段階と、を含むデジタル放送サービス方法。
【請求項２】
前記コンテンツ制御アクセス基準記述子は、
ロック制御情報及びクーポン提供情報のうち少なくとも１つを含み、前記ロック制御情報は、特定コンテンツに対する前記受信機の制御機能が制限されるか否かを指示し、前記クーポン提供情報は、前記特定コンテンツの実行に依存して有料コンテンツの購買のためのクーポンが提供されるか否かを指示することを特徴とする請求項１に記載のデジタル放送サービス方法。
【請求項３】
デジタル放送受信機のデジタル放送サービス方法において、
コンテンツ及び前記受信機の実行に依存して前記受信機の少なくとも１つの動作を制御するコンテンツ制御情報を識別するために使用されるコンテンツ制御アクセス基準記述子を含む伝送ストリームを受信する段階と、
前記コンテンツ制御アクセス基準記述子によって前記コンテンツを処理する段階と、を含むデジタル放送サービス方法。
【請求項４】
前記処理する段階は、
前記コンテンツ制御アクセス基準記述子内のロック制御情報を認識する段階であって、前記ロック制御情報は、特定コンテンツに対する前記受信機の制御機能が制限されるか否かを指示する段階と、
前記ロック制御情報に基礎して前記特定コンテンツを行う段階と、を含むことを特徴とする請求項３に記載のデジタル放送サービス方法。
【請求項５】
前記処理する段階は、
前記コンテンツ制御アクセス基準記述子内のクーポン提供情報を認識する段階であって、前記クーポン提供情報は、特定コンテンツの実行に依存して有料コンテンツの購買のためのクーポンが提供されるか否かを指示する段階と、
前記特定コンテンツを行う段階と、
前記クーポン提供情報に基礎してクーポンを提供する段階と、を含むことを特徴とする請求項３に記載のデジタル放送サービス方法。
【請求項６】
サービス提供者サーバのデジタル放送サービス提供装置において、
伝送ストリームにコンテンツ制御アクセス基準記述子を挿入する第１ユニットであって、前記コンテンツ制御アクセス基準記述子は、コンテンツの実行に依存して受信機の少なくとも１つの動作を制御するためのコンテンツ制御情報を識別するために使用される第１ユニットと、
前記コンテンツ及び前記コンテンツ制御アクセス基準記述子を前記伝送ストリームを通じて前記受信機に伝送する第２ユニットと、を含むデジタル放送サービス提供装置。
【請求項７】
前記コンテンツ制御アクセス基準記述子は、
ロック制御情報及びクーポン提供情報のうち少なくとも１つを含み、前記ロック制御情報は、特定コンテンツに対する前記受信機の制御機能が制限されるか否かを指示し、前記クーポン提供情報は、前記特定コンテンツの実行に依存して有料コンテンツの購買のためのクーポンが提供されるか否かを指示することを特徴とする請求項６に記載のデジタル放送サービス装置。
【請求項８】
デジタル放送受信機のデジタル放送サービス装置において、
コンテンツ及び前記コンテンツの実行に依存して前記受信機の動作を制御するためのコンテンツ制御情報を識別するために使用されるコンテンツ制御アクセス基準記述子を含む伝送ストリームを受信する第１ユニットと、
前記コンテンツ制御アクセス基準記述子によって前記コンテンツを処理する第２ユニットと、を含むデジタル放送サービス装置。
【請求項９】
前記第２ユニットは、
前記コンテンツ制御アクセス基準記述子内のロック制御情報を認識し−ここで、前記ロック制御情報は、特定コンテンツに対する前記受信機の制御機能が制限されるか否かを指示し−；
前記ロック制御情報に基礎して前記特定コンテンツを行うことを特徴とする請求項８に記載のデジタル放送受信機のデジタル放送サービス装置。
【請求項１０】
前記第２ユニットは、
前記コンテンツ制御アクセス基準記述子内のクーポン提供情報を認識し−ここで、前記クーポン提供情報は、特定コンテンツの実行に依存して有料コンテンツの購買のためのクーポンが提供されるか否かを指示し−；
前記クーポン提供情報に基礎して前記クーポンを提供することを特徴とする請求項８に記載のデジタル放送受信機のデジタル放送サービス装置。
【発明の詳細な説明】
【技術分野】
【０００１】
本発明は、一般的にデジタル放送サービス技術に関し、特に、直接的且つリアルタイムでデジタル放送受信機を制御することができるようにするデジタル放送サービス方法及び装置に関する。
【背景技術】
【０００２】
一般的に、放送サービスは、端末を有するすべてのユーザに提供することを目的で提供されるサービスである。このような放送サービスは、音声のみを提供するラジオ放送のようなオーディオ放送サービスと、音声及びビデオサービスを提供するテレビのようなビデオ中心の放送サービスと、音声、ビデオ及びデータサービスを包括するマルチメディア放送サービスとに分けられる。このような放送サービスは、アナログ方式を基本にしており、技術の飛躍的な発展に伴い、デジタル放送化が行われている。また、放送サービスは、既存の送電塔を中心に提供された方式から脱して、有線で高画質及び高速のデータを一緒に提供する有線ネットワークのマルチメディアサービスと、人工衛星または無線ネットワークを利用してマルチメディアサービスを提供する方式と、有線、無線ネットワーク及び人工衛星を同時に利用する方式などの多様な方式に発展している。
【０００３】
また、移動通信市場は、既存技術の再組合または統合を通じて新しいサービスの生産を持続的に要求されており、近年、通信及び放送技術の発達に伴い、従来の放送システムまたは移動通信システムにおいて移動通信端末機を通じて放送サービスを提供する段階にある。このような潜在的で且つ実在的な市場需要とマルチメディアサービスに対して急増するユーザ要求、既存の音声サービス以外に放送サービスなど新しいサービスを提供しようとする事業者の戦略、そして需要者の要求を収容して移動通信事業を強化しているＩＴ企業らの利害関係がかみ合って、移動通信サービスとＩＰの融合は、次世代移動通信技術開発の大きい流れとして位置付けられている。これは、移動通信市場だけでなく、一般有線市場においても無線または放送などに存在する多様なサービスを導入、適用させるに至り、このような全防衛的な融合は、有線、無線放送などに関係なく、多様なサービスに対して同一の消費環境を作るようになった。
【０００４】
前述したようなデジタル放送サービスを提供する多様な放送環境のうちＤＶＢによれば、特定コンテンツまたは特定ユーザに制限的に放送サービスを提供するための方法であって、制限受信メッセージを使用している。このような制限受信メッセージは、ＥＭＭ（Ｅｎｔｉｔｌｅｍｅｎｔ  Ｍａｎａｇｅｍｅｎｔ  Ｍｅｓｓａｇｅ）及びＥＣＭ（Ｅｎｔｉｔｌｅｍｅｎｔ  Ｃｏｎｔｒｏｌ  Ｍｅｓｓａｇｅ）を含む。
【０００５】
ＥＭＭは、加入者の視聴権限を管理するための機能を行う。また、ＥＣＭは、特定の視聴資格を付与された加入者に指定されたコンテンツを提供するための機能を行う。すなわち、ＥＣＭは、コンテンツの制限受信特徴を示すメッセージであり、受信機がスクランブリング（ｓｃｒａｍｂｌｉｎｇ）されたコンテンツをデスクランブリング（ｄｅｓｃｒａｍｂｌｅ）をするのに必要なコントロールワード（ＣＷ、Ｃｏｎｔｒｏｌ  Ｗｏｒｄ）を提供する。すなわち、一般的な加入者にサービスを制限するために、放送サービスを提供するサービス提供側は、特定コンテンツをスクランブリングして伝送する。この時、放送サービスを提供された受信機は、当該コンテンツを購買する場合にのみ、当該コンテンツをデスクランブリングすることができるコントロールワードを得ることができる。
【０００６】
しかし、このような従来の制限受信メッセージは、受信機を直接制御することができず、コンテンツ視聴を制約するためにコンテンツ別に当該サービスを制限する機能だけを行う。
【発明の概要】
【発明が解決しようとする課題】
【０００７】
視聴者に多様で且つインタラクティブなサービスを提供するためのデジタル放送受信機を制御する方法が要求される。
【課題を解決するための手段】
【０００８】
本発明の一態様は、少なくとも前述した問題点及び／または短所を解決し、下記に言及される長所を提供するためのものである。
【０００９】
したがって、本発明の一態様の目的は、デジタル放送受信機を制御することができるデジタル放送サービス提供方法及びそのための装置を提供することにある。
【００１０】
また、本発明の一態様の他の目的は、リアルタイムでデジタル放送受信機を制御し、インタラクティブなデジタル放送サービスを提供することができるデジタル放送サービス提供方法及びそのための装置を提供することにある。
【００１１】
本発明の一態様によれば、伝送ストリームにコンテンツ制御アクセス基準記述子を挿入する段階であって、コンテンツ制御アクセス基準記述子は、コンテンツの実行に依存して受信機の少なくとも１つの動作を制御するためのコンテンツ制御情報を識別するために使用される段階と、前記伝送ストリームを通じて前記コンテンツ及び前記コンテンツ制御アクセス基準記述子を前記受信機に伝送する段階と、を含むサービス提供者サーバのデジタル放送サービス方法が提供される。
【００１２】
本発明の他の態様によれば、コンテンツ及び前記受信機の実行に依存して前記受信機の少なくとも１つの動作を制御するコンテンツ制御情報を識別するために使用されるコンテンツ制御接近制御記述子を含む伝送ストリームを受信する段階と、前記コンテンツ制御アクセス基準記述子によって前記コンテンツを処理する段階と、を含むデジタル放送受信機のデジタル放送サービス方法が提供される。
【００１３】
本発明のさらに他の態様によれば、伝送ストリームにコンテンツ制御アクセス基準記述子を挿入する第１ユニットであって、前記コンテンツ制御アクセス基準記述子は、コンテンツの実行に依存して受信機の少なくとも１つの動作を制御するためのコンテンツ制御情報を識別するために使用される第１ユニットと、前記コンテンツ及び前記コンテンツ制御アクセス基準記述子を前記伝送ストリームを通じて前記受信機に伝送する第２ユニットと、を含むサービス提供者サーバのデジタル放送サービス提供装置が提供される。
【００１４】
本発明のさらに他の態様によれば、コンテンツ及び前記コンテンツの実行に依存して前記受信機の動作を制御するためのコンテンツ制御情報を識別するために使用されるコンテンツ制御アクセス基準記述子を含む伝送ストリームを受信する第１ユニットと、前記コンテンツ制御アクセス基準記述子によって前記コンテンツを処理する第２ユニットと、を含むデジタル放送受信機のデジタル放送サービス装置が提供される。
【００１５】
本発明の一態様は、ＥＣＭのコンテンツ制御アクセス基準記述子を利用したデジタル放送受信機の直接制御を通じてユーザに多様なデジタル放送サービスを提供することができる。また、本発明の一態様は、コンテンツの間に繰り返し的に伝送されるＥＣＭを利用したデジタル放送受信機の直接制御を通じてインタラクティブなデジタル放送サービスを提供することができる。
【発明の効果】
【００１６】
前述したように、サービスサーバは、ＬＣビットを通じて加入者に広告のような特定コンテンツを視聴するようにすることができる。また、広告視聴に対する補償としてクーポンが提供されれば、サービスサーバは、受信機を制御することによって、加入者にクーポンが提供されたことを通知することができる。したがって、サービス提供者は、受信機の制御を通じて広告収益を実現することができる。
【００１７】
本発明の他の態様、長所、顕著な構成は、添付の図面と組合された下記の詳細な説明から当業者にさらに明確になるだろう。
【図面の簡単な説明】
【００１８】
【図１】本発明の実施例によるデジタル放送サービス提供システムの構成を説明するための図である。
【図２】本発明の実施例による伝送ストリームを説明するための図である。
【図３】本発明の実施例によるＬＣ（Ｌｏｃｋ  Ｃｏｎｔｒｏｌ）を説明するための図である。
【図４】本発明の実施例によるＣＰ（Ｃｏｕｐｏｎ  Ｐｒｏｖｉｓｉｏｎ）を説明するための図である。
【図５】本発明の実施例によるコンテンツ管理方法を説明するための流れ図である。
【発明を実施するための形態】
【００１９】
本発明の制限されない実施例が添付の図面を参照してさらに詳細に説明される。本発明は、多数の異なる形態で実施されることができ、本明細書の実施例に制限されるものと解すべきではない。開示された実施例は、この開示が完全で且つ当業者に発明の範囲を完全に通知するようにするために提供される。本発明の原理及び構成は、発明の範囲から脱することなく、様々な多様な実施例に適用されることができる。
【００２０】
また、よく知られているか、広く利用される技術、要素、構造、及び手続は、本発明の要旨を不明瞭にしないようにするために詳しく説明されるか、図示していない。図面が発明の実施例を示しても、図面は、本発明をさらによく図示するために比率が歪曲されるか、特定の構成要素が強調されたり、省略されたりすることができる。
【００２１】
まず、本発明の実施例による放送サービス提供のためのシステムについて説明する。図１は、本発明の実施例によるデジタル放送サービス提供システムの構成を説明するための図である。
【００２２】
図１を参照すれば、本発明の実施例による放送サービス提供システムは、デジタル放送コンテンツを提供するサービス提供者サーバ（以下、「サービスサーバ」という）１００と、前記サービスサーバ１００からコンテンツを受信するデジタル放送受信機（以下、「受信機」という）２００とを備えて構成される。
【００２３】
サービスサーバ１００は、放送サービスを提供する主体であり、コンテンツ収集、提供、課金などの機能を行うサーバを総称する。サービスサーバ１００のこのような各機能は、互いに異なるエンティティーで具現されることができる。
【００２４】
サービスサーバ１００は、コンテンツ供給者などからコンテンツを収集し、収集したコンテンツを提供する役目を行う。また、サービスサーバ１００は、特定のコンテンツ（有料コンテンツ）の場合、制限受信のためにコンテンツを暗号化（例えば、ｓｃｒａｍｂｌｉｎｇ）して伝送し、このような有料コンテンツに対する加入者の購買がある場合、逆暗号化（例えば、ｄｅｓｃｒａｍｂｌｉｎｇ）をすることができるようにするコントロールワード（ＣＷ、ｃｏｎｔｒｏｌ  Ｗｏｒｄ）をＥＣＭを通じて加入者の受信機２００に伝送する役目を行う。
【００２５】
サービスサーバ１００は、コンテンツと関連した情報（ＥＣＭ、ＰＳＩ／ＳＩ、ＥＳＧなど）、加入者と関連した情報（ＥＭＭ）、及びコンテンツを伝送ストリーム（ＴＳ、Ｔｒａｎｓｐｏｒｔ  Ｓｔｒｅａｍ）を通じて伝送する。この際、ＥＣＭにリンクされ、コントロールワードが伝送される。コントロールワードは、プログラム構成要素（ビデオ、オーディオ、データなど）を暗号化（ｓｃｒａｍｂｌｅ）し、受信機がプログラムを逆暗号化（ｄｅｓｃｒａｍｂｌｅ）するために使用することができる。この際、特定コンテンツ（例えば、有料放送）は、コントロールワードを利用してスクランブリングされて伝送される。
【００２６】
一方、サービスサーバ１００は、前述した有料コンテンツを購入することができるクーポンを提供することができる。この際、サービスサーバ１００は、当該クーポンを特定コンテンツを視聴する条件で加入者に提供することができる。
【００２７】
特に、サービスサーバ１００は、本発明の実施例によるアクセス基準情報をコンテンツとともに伝送する。アクセス基準情報は、受信機２００を制御するための情報であって、３つの機能を行うことができる。第一に、受信機２００の制御機能をロックするか、またはロック解除することができる。第二に、受信機２００にクーポン提供可否を通知することができる。第三に、受信機２００がクーポン提供可否をユーザに選択的に通知するように制御することができる。
【００２８】
この際、サービスサーバ１００は、伝送ストリーム（ＴＳ、Ｔｒａｎｓｐｏｒｔ  Ｓｔｒｅａｍ）を通じてアクセス基準情報をコンテンツとともに伝送する。このようなアクセス基準情報も、ＥＣＭを通じて伝送される。アクセス基準情報は、コンテンツ制御アクセス基準記述子を通じて伝送される。
【００２９】
受信機２００は、基本的に、デジタル放送を受信し、これを再生することによって、ユーザにデジタル放送サービスを提供する役目を行う。
【００３０】
特に、受信機２００は、前述したような、伝送ストリームＴＳを受信すれば、伝送ストリームのＣＡＴ（Ｃｏｎｄｉｔｉｏｎａｌ  Ａｃｃｅｓｓ  Ｔａｂｌｅ）に割り当てられたＰＩＤ（Ｐａｃｋｅｔ  Ｉｄｅｎｔｉｆｉｅｒ）を利用してＥＭＭ（Ｅｎｔｉｔｌｅｍｅｎｔ  Ｍａｎａｇｅｍｅｎｔ  Ｍｅｓｓａｇｅ）を探し、受信機２００のユーザのＥＭＭとＰＭＴ（Ｐｒｏｇｒａｍ  Ｍａｐ  Ｔａｂｌｅ）に割り当てられたＰＩＤを利用して伝送ストリーム（ＴＳ）からＥＣＭ（Ｅｎｔｉｔｌｅｍｅｎｔ  Ｃｏｎｔｒｏｌ  Ｍｅｓｓａｇｅ）を抽出する。また、受信機２００は、ＥＣＭからアクセス基準情報を抽出し、アクセス基準情報によって特定機能を行う。
【００３１】
一方、有料コンテンツの場合、受信機２００は、視聴しようとするコンテンツと関連したＥＣＭの制限受信特性（ｐａｒｅｎｔａｌ  ｒａｔｉｎｇ、ｂｌａｃｋｏｕｔなど）をスマートカード（例えば、ＳＩＭ、ＵＳＩＭ）に保存されている視聴資格情報と比較し、視聴資格を確認する。加入者視聴資格が確認されれば、受信機２００は、コントロールワード（Ｃｏｎｔｒｏｌ  Ｗｏｒｄ）を利用して当該コンテンツと関連したストリーム（ビデオ、オーディオ、データなど）を逆暗号化する。逆暗号化したストリームは、復号した後に出力される。
【００３２】
本発明の実施例によれば、前述した有料コンテンツなどは、サービスサーバ１００が提供するクーポンを利用して購買することができる。特に、クーポンの場合、本発明の実施例によってデジタル放送加入者が特定コンテンツ（例えば、広告）を視聴する場合、当該クーポンを提供されることができる。
【００３３】
本発明の実施例においてサービスサーバ１００が受信機２００にコンテンツを伝送するための有線／無線インターフェースまたは受信機２００がサービスサーバ１００に接続するための有線／無線のインターフェースについては、発明の要旨ではないので、その詳細な説明を省略する。
【００３４】
以下では、さらに詳細に本発明の実施例による伝送ストリームＴＳについて説明する。図２は、本発明の実施例による伝送ストリームを説明するための図である。
【００３５】
本発明の実施例による放送サービスは、ストリーミングサービスを基本にし、このようなストリーミングサービスのために、サービスサーバ１００は、伝送ストリーム（または伝送ストリームパケット）（Ｔｒａｎｓｐｏｒｔ  Ｓｔｒｅａｍ  ｐａｃｋｅｔ）を利用する。
【００３６】
本発明の実施例では、伝送ストリームをＭＰＥＧ  ２ＴＳパケット（ＭＰＥＧ  Ｔｒａｎｓｐｏｒｔ  Ｓｔｒｅａｍ  ｐａｃｋｅｔ）を例示して説明する。ＭＰＥＧ  ２ＴＳパケット（ＭＰＥＧ  Ｔｒａｎｓｐｏｒｔ  Ｓｔｒｅａｍ  ｐａｃｋｅｔ）は、ＭＰＥ、ＩＰ、ＵＤＰ、ＲＴＰ、ＦＬＵＴＥ／ＡＬＣなどのプロトコルによるデータを含み、このようなデータは、ＥＭＭ及びＥＣＭ及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）テーブルなどを含む。
【００３７】
ここで、ＰＳＩ／ＳＩテーブルは、ＣＡＴ及びＰＭＴを含む。
【００３８】
受信機２００は、伝送ストリームＴＳを受信すれば、ＣＡＴに割り当てられたＰＩＤを利用してＥＭＭを探し、受信機２００のユーザのＥＭＭとＰＭＴに割り当てられたＰＩＤを利用してＥＣＭを抽出して処理する。コンテンツ制御アクセス基準記述子は、ＥＣＭ内に含まれて伝送される。
【００３９】
図２には、前述したコンテンツ１〜７及びＥＣＭが伝送される伝送ストリームＴＳが示されている。
【００４０】
本発明の実施例による、条件アクセス情報である、コンテンツ制御アクセス基準記述子（ｃｏｎｔｅｎｔ  ｃｏｎｔｒｏｌ  ａｃｃｅｓｓ  ｃｒｉｔｅｒｉａ  ｄｅｓｃｒｉｐｔｏｒ）は、伝送ストリームＴＳを通じて伝送され、このような条件アクセス情報は、ＥＣＭに収納されて伝送される。ＥＣＭは、デスクランブリング（ｄｅｓｃｒａｍｂｌｉｎｇ）情報、コンテンツ制御アクセス基準記述子、コントロールワード（ＣＷ、Ｃｏｎｔｒｏｌ  Ｗｏｒｄ）（例えば、ＴＥＫｓ）を含む。
【００４１】
図示のように、サービスサーバ１００は、ＥＣＭを伝送ストリームＴＳ内で繰り返して伝送し、これにより、受信機２００は、受信時にＥＣＭに迅速に接続することができる。
【００４２】
本発明の実施例によるコンテンツ制御アクセス基準記述子（ｃｏｎｔｅｎｔ  ｃｏｎｔｒｏｌ  ａｃｃｅｓｓ  ｃｒｉｔｅｒｉａ  ｄｅｓｃｒｉｐｔｏｒ）は、このようなＥＣＭに含まれて伝送される。以下では、本発明の実施例によるコンテンツ制御アクセス基準記述子について説明する。次の表１及び表２は、本発明の実施例による、コンテンツ制御アクセス基準記述子を説明するためのものである。
【００４３】
【表１】
2012514374.tif 000003
【００４４】
【表２】
2012514374.tif 000004
【００４５】
表１は、本発明の実施例によるコンテンツ制御アクセス基準記述子を示す。本発明の実施例によるコンテンツ制御アクセス基準記述子は、コンテンツの再生による受信機の動作を制御するためのコンテンツ制御情報（Ｃｏｎｔｅｎｔｓ＿ｃｏｎｔｒｏｌ＿ｉｎｆｏｒｍａｔｉｏｎ）を有するコンテンツ制御アクセス基準記述子（情報）を記述し、このようなコンテンツ制御アクセス基準記述子は、８ｂｉｔよりなる。表２は、各８ｂｉｔに割り当てられたコンテンツ制御アクセス基準記述子を示す。コンテンツ制御アクセス基準記述子は、ロック制御情報（ＬＣ、Ｌｏｃｋ  Ｃｏｎｔｒｏｌ、以下、“ＬＣ”という）及びクーポン提供情報（ＣＰ、Ｃｏｕｐｏｎ  Ｐｒｏｖｉｓｉｏｎ、以下、“ＣＰ”という）を含む。特に、表２のビット番号（“Ｂｉｔ＃”で記載した部分）０（＃０）は、ロック制御情報を示し、表２のビット番号１（＃１）は、クーポン提供情報を示す。
【００４６】
以下では、さらに詳細に本発明の実施例によるロック制御ＬＣ及びクーポン提供ＣＰの情報について説明する。
【００４７】
まず、本発明の実施例によるロック制御情報ＬＣについて説明する。図３は、本発明の実施例によるＬＣ（Ｌｏｃｋ  Ｃｏｎｔｒｏｌ）を説明するための図である。
【００４８】
図３に本発明の実施例によるＥＣＭが伝送される伝送ストリームＴＳを示した。図示のように、コンテンツの間に所定間隔で繰り返してＥＣＭが伝送される。表１及び表２を参照すれば、サービスサーバ１００は、ＥＣＭのコンテンツ制御アクセス基準記述子のＬＣビットを“０”または“１”に設定して伝送することができる。受信機２００が特定コンテンツを無条件再生するように制御したい場合、サービスサーバ１００は、ＥＣＭのコンテンツ制御アクセス基準記述子のＬＣビットを”１”に設定して伝送することができる。
【００４９】
受信機２００は、伝送ストリームＴＳの中でＥＣＭを受信すれば、受信したＥＣＭのコンテンツ制御アクセス基準記述子からＬＣを抽出し、抽出したＬＣのビットによって受信機２００のコンテンツに対する制御機能をロックするか、またはロック解除する。受信機２００の制御機能をロックする場合、ユーザは、コンテンツの再生（ＰＬＡＹ）、一時停止（ＰＡＵＳＥ）、早送り（ＦａｓｔＦｏｒｗａｒｄ）、巻き戻し（ＲＥＷＩＮＤ）などの機能を使用することができない。
【００５０】
例えば、ＬＣビットを”１”に設定（ＬＣ＝１）した場合（３０１）、受信機２００は、制御機能がロックされるので、ユーザは、参照符号３０３で伝送されるコンテンツを早送り（ＦＦ、Ｆａｓｔ  Ｆｏｒｗａｒｄ）などの機能を利用して飛ばすことができない。
【００５１】
ユーザが早送りのような制御機能を利用して前記コンテンツ３０３を飛ばす場合、受信機２００は、強制に飛ばしたコンテンツの開始地点に戻ることができる。
【００５２】
また、ＬＣビットを０に設定（ＬＣ＝０）した場合（３０５）、受信機２００は、制御機能のロックが解除されるので、ユーザは、参照符号３０７で伝送されるコンテンツからは再生（ＰＬＡＹ）、一時停止（ＰＡＵＳＥ）、早送り（Ｆａｓｔ  Ｆｏｒｗａｒｄ）、巻き戻し（ＲＥＷＩＮＤ）などの制御機能を自由に使用することができる。
【００５３】
このような本発明によれば、サービスサーバ１００は、ＬＣビットを通じて受信機２００を制御し、ユーザにとって広告などのコンテンツ視聴を強制することができる。すなわち、サービスサーバ１００がＬＣビットを”１”に設定した後、広告を伝送する場合、受信機２００は、当該部分をスキップすることができないので、ユーザにコンテンツ視聴を強制することができる。
【００５４】
次に、本発明の実施例によるクーポン提供ビットについて説明する。図４は、本発明の実施例によるＣＰ（Ｃｏｕｐｏｎ  Ｐｒｏｖｉｓｉｏｎ）を説明するための図である。
【００５５】
図３に本発明の実施例によるＥＣＭが送信される伝送ストリームＴＳを示す。図示のように、コンテンツの間に所定間隔で繰り返してＥＣＭが伝送される。表１及び表２を参照すれば、サービスサーバ１００は、ＥＣＭのコンテンツ制御アクセス基準記述子のＣＰビットを”０”または”１”に設定して伝送することができる。すなわち、特定コンテンツを視聴する場合にクーポンを提供する場合、サービスサーバ１００は、ＣＰビットを”１”に設定して伝送する。クーポンを提供しない場合、サービスサーバ１００は、ＣＰビットを”０”に設定して伝送する。
【００５６】
受信機２００は、コンテンツストリーミング中にＥＣＭを受信すれば、受信したＥＣＭのコンテンツ制御アクセス基準記述子からＣＰを抽出し、抽出したＣＰのビットによって、特定コンテンツ視聴時にクーポンが提供されるか否かを把握することができる。すなわち、ＣＰビットによって特定コンテンツの視聴時にクーポンを提供するか、提供しない。本発明の実施例において特定コンテンツ視聴時にクーポンを提供することをミタリングサービス（ｍｅｔｅｒｉｎｇ  ｓｅｒｖｉｃｅ）という。
【００５７】
例えば、ＣＰビットを”１”に設定（ＣＰ＝１）した場合（４０１）、受信機２００は、参照符号４０３で伝送されるコンテンツを再生する場合、クーポンが提供されることが分かる。また、ＣＰビットを０に設定（ＣＰ＝０）した場合（４０５）、受信機２００は、参照符号４０７で伝送されるコンテンツを再生しても、クーポンが提供されないことが分かる。
【００５８】
この際、受信機２００は、クーポン提供可否をユーザに通知することができる。その一例として、受信機２００は、ＬＣビット及びＣＰビットの組合によってコンテンツを視聴する場合、クーポンが提供されるか否かをユーザに通知することができる。
【００５９】
次の表３は、本発明の実施例によるＬＣ及びＣＰビットによる受信機２００の動作を説明するためのものである。
【００６０】
【表３】
2012514374.tif 000005
【００６１】
表３を参照すれば、受信機２００は、ＥＣＭから抽出したＬＣビットが１の場合、受信機２００の制御機能をロックし、ＬＣビットが０の場合、受信機２００の制御機能をロック解除する。
【００６２】
また、受信機２００は、ＥＣＭから抽出したＣＰビットが１の場合、クーポンを提供されることができることを把握することができ、ＣＰビットが０の場合、クーポンを提供されることができないことを把握することができる。
【００６３】
特に、表３に示されたように、ＬＣ及びＣＰビットが各々０、０及び１、１である２つの場合、受信機２００は、選択的にユーザにクーポン提供可否を公知することができる。
【００６４】
また、ＬＣ及びＣＰビットが各々１、０の場合、受信機２００は、ユーザにクーポン提供可否を公知しない。
【００６５】
また、ＬＣ及びＣＰビットが各々０、１の場合、受信機２００は、ユーザにクーポン提供可否を必ず公知する。
【００６６】
表３を参照した実施例においてＬＣ及びＣＰビットによってクーポン提供可否を通知しないか、あるいは通知するか、または選択的に通知することができることを説明した。ここで、表３のＬＣ及びＣＰビット組合は、例示的なものであって、限定的なものではなく、事業者の意図によって多様な組合を提供することができる。
【００６７】
次に、前述したようなＬＣ及びＣＰビットによる広告管理方法について説明する。
【００６８】
図５は、本発明の実施例によるコンテンツ管理方法を説明するための流れ図である。
【００６９】
図５を参照すれば、サービスサーバ１００は、本発明の実施例によるコンテンツ制御アクセス基準記述子及びコンテンツを有するＥＣＭを伝送ストリームＴＳを通じて伝送することができる。ここで、コンテンツは広告と仮定する。
【００７０】
伝送ストリームを受信すれば、受信機２００は、Ｓ５０１段階で、伝送ストリームのＥＣＭを抽出する。
【００７１】
その後、受信機２００は、Ｓ５０３段階で、ＥＣＭのコンテンツ制御アクセス基準記述子のＬＣビットが”１”であるか否かを判断する。
【００７２】
Ｓ５０３段階の判断結果、ＬＣビットが”１”の場合、Ｓ５０５段階に進行し、そうではない場合、すなわち、ＬＣビットが”０”の場合、Ｓ５０７段階に進行する。
【００７３】
Ｓ５０５段階で、受信機２００は、ＬＣビットが１なので、受信機２００の制御機能をロックする。一方、Ｓ５０７段階で、受信機２００は、ＬＣビットが０なので、受信機２００の制御機能をロック解除する。ここで、制御機能がロックしない場合、ロックを解除するものではなく、制御機能をロックしない。
【００７４】
次に、受信機２００は、Ｓ５０９段階で、ＥＣＭのコンテンツ制御アクセス基準記述子のＣＰビットが”１”であるか否かを判断する。
【００７５】
Ｓ５０９段階の判断結果、ＣＰビットが”１”の場合、Ｓ５１１段階に進行し、そうではない場合、すなわち、ＣＰビットが”０”の場合、Ｓ５１５段階に進行する。
【００７６】
Ｓ５１１段階で、受信機２００は、ＣＰビットが１なので、ミタリングサービスを行う。ここで、ミタリングサービスは、ユーザがＣＰビットが１に設定されたＥＣＭに引き継いで伝送されるコンテンツを再生する場合、クーポンを提供することを意味する。このようなクーポンは、受信機２００に保存されることが好ましい。次いで、受信機２００は、Ｓ５１３段階で、ＬＣビット及びＣＰビットの組合によって選択的に当該コンテンツを視聴する場合、クーポンが提供されることを通知することができる。このようなＬＣビット及びＣＰビットの組合によってクーポン提供可否を通知することは、表３で説明した通りである。
【００７７】
一方、受信機２００は、Ｓ５１５段階でＣＰビットが１なので、ミタリングサービスを行わない。あるいはミタリングサービスが継続中の場合には、ミタリングサービスを中断する。
【００７８】
このように、本発明の実施例によれば、コンテンツが広告の場合、ＬＣビットを通じてユーザに視聴を強制することができ、広告視聴に対する対価としてクーポンを提供する場合、これをユーザに通知することができる。サービス提供者の立場では、このようなユーザの受信機２００の制御を通じて広告収益を上げることができる。
【００７９】
特に、本発明の実施例によるコンテンツ制御方法によれば、高い繰り返し率で伝送されるＥＣＭを利用して受信機２００を制御することによって、既存のコンテンツ別にだけ制御することができたことに比べて、さらに多様なサービスを提供することができる。
【００８０】
例えば、伝送ストリームのコンテンツを３部分に分けて、第１の部分にプログラムの前半部、第２の部分に広告、 第３の部分にプログラムの後半部を伝送する場合には、プログラムの前半部を視聴するようにし、残りの後半部は、広告を視聴する場合にのみ、視聴することができるようにサービスを提供することができる。この場合のクーポンは、プログラムの後半部を購買することができる用途にのみ使用されることができる。
【００８１】
一方、多様なコンテンツを購入することができる用途のクーポンを提供することができる。このような場合、加入者は、特定コンテンツを視聴し、クーポンを得れば、このようなクーポンで特定の有料コンテンツを購入することができる。このように、本発明の実施例によるデジタル放送サービス提供方法によれば、多様な方式のインタラクティブなサービスを提供することができる。
【００８２】
以上、本発明をいくつかの好ましい実施例を使用して説明したが、これらの実施例は、例示的なものであって、限定的なものではない。このように、本発明の属する技術分野における通常の知識を有する者なら本発明の思想と添付の特許請求の範囲に提示された権利範囲を逸脱しない範囲内で均等論によって多様な変化と修正を加えることができることを理解することができる。
【符号の説明】
【００８３】
１００  サービス提供者サーバ（サービスサーバ）
２００  デジタル放送受信機（受信機）
【図１】
2012514374.tif 000006
【図２】
2012514374.tif 000007
【図３】
2012514374.tif 000008
【図４】
2012514374.tif 000009
【図５】
2012514374.tif 000010
【国際調査報告】
2012514374.tif 000011
2012514374.tif 000012